【誤訳訂正書】
【提出日】平成27年9月3日(2015.9.3)
【誤訳訂正１】
【訂正対象書類名】特許請求の範囲
【訂正対象項目名】全文
【訂正方法】変更
【訂正の内容】
【特許請求の範囲】
【請求項１】
ビデオビットストリームを復号する方法であって、前記方法は、
媒体、または、プロセッサから、前記ビデオビットストリームを受信する工程と、
カラーコンポーネントの現在のＣＵ(符号化ユニット)が少なくともひとつのノンゼロ変換係数を有するかどうかを示す前記カラーコンポーネントの第一ｃｂｆ(符号化ブロックフラグ)を復号し、前記第一ｃｂｆが前記ビデオビットストリームからリカバーされる工程と、
前記第一ｃｂｆの復号結果に従って、それぞれ、前記カラーコンポーネントの前記現在のＣＵ中の４個のサブブロックのひとつが少なくともひとつのノンゼロ変換係数を有するかどうかを示す前記カラーコンポーネントの４個の第二ｃｂｆを復号し、前記第二ｃｂｆが前記ビデオビットストリームからリカバーされる工程と、
前記第一ｃｂｆに基づいて、または、前記第二ｃｂｆが存在する場合、前記第一ｃｂｆと前記４個の第二ｃｂｆに基づいて、前記カラーコンポーネントの前記現在のＣＵの残差四分木構造を決定する工程と、
を含み、
前記カラーコンポーネントの現在のＣＵサイズが前記カラーコンポーネントの最大ＴＵ(変換ユニット)サイズより大きいかどうかにかかわらず、前記第一ｃｂｆは、常に、現在のＣＵのルートレベルで信号伝達されることを特徴とする方法。
【請求項２】
前記カラーコンポーネントの前記最大ＴＵ(変換ユニット)サイズは、ルマコンポーネントの３２×３２、および、前記カラーコンポーネントの前記最大ＴＵサイズは、彩度コンポーネントの１６×１６であることを特徴とする請求項１に記載の方法。
【請求項３】
前記カラーコンポーネントの前記最大ＴＵサイズは、シーケンスレベルで信号伝達されることを特徴とする請求項１に記載の方法。
【請求項４】
さらに、前記第二ｃｂｆの復号結果にしたがって、前記カラーコンポーネントの第三ｃｂｆを復号し、各第三ｃｂｆは、前記４個のサブブロックの次の深さ中の前記カラーコンポーネントの一リーフブロックが、少なくともひとつのノンゼロ変換係数を有するかを示し、および、前記第三ｃｂｆが前記ビデオビットストリームからリカバーされる工程と、前記第三ｃｂｆが存在する場合、前記カラーコンポーネントの前記現在のＣＵの前記残差四分木構造は、さらに、前記第三ｃｂｆに基づく工程と、を含むことを特徴とする請求項１に記載の方法。
【請求項５】
ビデオビットストリームを復号する方法であって、前記方法は、
媒体、または、プロセッサから、前記ビデオビットストリームを受信する工程と、
ＴＵ(変換ユニット)に関連するｃｂｆ(符号化ブロックフラグ)を復号し、前記ｃｂｆが前記ビデオビットストリームからリカバーされる工程と、
前記ｃｂｆに基づいて、前記ＴＵのＲＱＴ(残差四分木構造)を決定し、前記ｃｂｆのシグナリングが、ルマコンポーネントと彩度コンポーネントとで統一される工程と、
を含み、
ＣＵ(符号化ユニット)サイズが最大ＴＵサイズより大きいかどうかにかかわらず、前記ｃｂｆは、常に、ＣＵのルートレベルで信号伝達されることを特徴とする方法。
【請求項６】
前記ｃｂｆは、ルートＴＵとリーフＴＵで信号伝達されることを特徴とする請求項５に記載の方法。
【請求項７】
前記ｃｂｆは、ＣＡＢＡＣ (context-based adaptive binary arithmetic coding)を用いて符号化され、前記ＣＡＢＡＣのコンテキストモデルは、前記ＲＱＴの深さに基づくことを特徴とする請求項５に記載の方法。
【請求項８】
ｃｂｆ(符号化ブロックフラグ)を符号化する方法であって、前記方法は、
カラーコンポーネントの現在のＣＵ(符号化ユニット)の残差を決定する工程と、
前記カラーコンポーネントの前記現在のＣＵが少なくともひとつのノンゼロ変換係数を含むかどうかを示す前記カラーコンポーネントの第一ｃｂｆ(符号化ブロックフラグ)を決定する工程と、
前記現在のＣＵが少なくともひとつのノンゼロ変換係数を有する場合、前記カラーコンポーネントの４個の第二ｃｂｆを決定し、それぞれ、前記カラーコンポーネントの前記現在のＣＵ中の４個のサブブロックのひとつが少なくともひとつのノンゼロ変換係数を有するかを示す工程と、
前記カラーコンポーネントの前記第一ｃｂｆを、ビデオビットストリームに組み込む、または、前記第二ｃｂｆが存在する場合、前記カラーコンポーネントの前記第一ｃｂｆと前記第二ｃｂｆの両方を、前記ビデオビットストリームに組み込む工程と、
を含み、
前記カラーコンポーネントの現在のＣＵサイズが前記カラーコンポーネントの最大ＴＵ(変換ユニット)サイズより大きいかどうかにかかわらず、前記第一ｃｂｆは、常に、現在のＣＵのルートレベルで信号伝達されることを特徴とする方法。
【請求項９】
前記カラーコンポーネントの前記最大ＴＵ (変換ユニット)サイズは、ルマコンポーネントの３２×３２であり、前記カラーコンポーネントの前記最大ＴＵサイズは、彩度コンポーネントの１６×１６であることを特徴とする請求項８に記載の方法。
【請求項１０】
前記カラーコンポーネントの前記最大ＴＵサイズは、シーケンスレベルで組み込まれることを特徴とする請求項８に記載の方法。
【請求項１１】
さらに、少なくともひとつのサブブロックが少なくともひとつのノンゼロ変換係数を有する場合、前記カラーコンポーネントの第三ｃｂｆを決定する工程を含み、各第三ｃｂｆが、前記４個のサブブロック中、次の深さの前記カラーコンポーネントの一リーフブロックが少なくともひとつのノンゼロ変換係数を有するかどうかを示す工程、および、前記第三ｃｂｆが存在する場合、前記カラーコンポーネントの前記第一ｃｂｆ、前記第二ｃｂｆ、および、前記第三ｃｂｆを、前記ビデオビットストリームに組み込む工程、
を含むことを特徴とする請求項８に記載の方法。
【請求項１２】
ｃｂｆ(符号化ブロックフラグ)を符号化する方法であって、前記方法は、
媒体、または、プロセッサからＴＵ(変換ユニット)を受信する工程と、
前記ＴＵに関連するＲＱＴ(残差四分木)を決定する工程と、
前記ＴＵの前記ＲＱＴに対応するひとつ以上のｃｂｆを決定する工程と、
を含み、
前記ｃｂｆのシグナリングはルマコンポーネントと彩度コンポーネントとで統一され、
ＣＵ(符号化ユニット)サイズが最大ＴＵサイズより大きいかどうかにかかわらず、前記ｃｂｆは、常に、ＣＵのルートレベルで信号伝達されることを特徴とする方法。
【請求項１３】
前記ｃｂｆは、ルートＴＵとリーフＴＵで信号伝達されることを特徴とする請求項１２に記載の方法。
【請求項１４】
ビデオビットストリームを復号する装置であって、前記装置は、
媒体から前記ビデオビットストリームを受信する手段と、
カラーコンポーネントの現在のＣＵ(符号化ユニット)は少なくともひとつのノンゼロ変換係数を含むかどうかを示す前記カラーコンポーネントの第一ｃｂｆ(符号化ブロックフラグ)を復号し、前記カラーコンポーネントの前記第一ｃｂｆが、前記ビデオビットストリームからリカバーされる手段と、
前記カラーコンポーネントの第二ｃｂｆを復号し、各第二ｃｂｆは、前記カラーコンポーネントの前記第一ｃｂｆの復号結果にしたがって、前記カラーコンポーネントの前記現在のＣＵ中の４個のサブブロックのひとつが少なくともひとつのノンゼロ変換係数を含むかどうかを示し、前記カラーコンポーネントの前記第二ｃｂｆが前記ビデオビットストリームからリカバーされる手段と、
前記カラーコンポーネントの前記第一ｃｂｆに基づいて、または、前記第二ｃｂｆが存在する場合、前記カラーコンポーネントの前記第一ｃｂｆと前記第二ｃｂｆに基づいて、前記カラーコンポーネントの前記現在のＣＵの残差四分木構造を決定する手段と、
を含み、
前記カラーコンポーネントの現在のＣＵサイズが前記カラーコンポーネントの最大ＴＵ(変換ユニット)サイズより大きいかどうかにかかわらず、前記第一ｃｂｆは、常に、現在のＣＵのルートレベルで信号伝達されることを特徴とする装置。
【請求項１５】
ｃｂｆ(符号化ブロックフラグ)を符号化する装置であって、前記装置は、
媒体、または、プロセッサから、カラーコンポーネントの現在のＣＵ(符号化ユニット)を受信する手段と、
前記現在のＣＵが少なくともひとつのノンゼロ変換係数を有するかどうかを示す前記カラーコンポーネントの第一ｃｂｆ(符号化ブロックフラグ)を決定する手段と、
前記カラーコンポーネントの前記現在のＣＵが少なくともひとつのノンゼロ変換係数を有する場合、それぞれ、前記カラーコンポーネントの前記現在のＣＵ中の４個のサブブロックのひとつが少なくともひとつのノンゼロ変換係数を有するかどうかを示す前記カラーコンポーネントの４個の第二ｃｂｆを決定する工程と、
前記カラーコンポーネントの前記第一ｃｂｆをビデオビットストリームに組み込む、または、前記第二ｃｂｆが存在する場合、前記カラーコンポーネントの前記第一ｃｂｆと前記第二ｃｂｆの両方を、前記ビデオビットストリームに組み込む手段と、
を含み、
前記カラーコンポーネントの現在のＣＵサイズが前記カラーコンポーネントの最大ＴＵ(変換ユニット)サイズより大きいかどうかにかかわらず、前記第一ｃｂｆは、常に、現在のＣＵのルートレベルで信号伝達されることを特徴とする装置。